(57)【要約】【課題】  対象物の公差に容易に対応でき、かつ、取り外しを簡単に行なうことができる制御装置の列盤構成を提供することを目的とする。【解決手段】  筐体と、筐体内に配置されたブスバー部とを有し、ブスバー部は、左右両側に配置したブスバーホルダーと、左右両端を、左右両側のブスバーホルダーに締付け固定する上側コモンブスバーおよび下側コモンブスバーと、上側コモンブスバーおよび下側コモンブスバーの一方端に回転自在接し、かつ前記上側コモンブスバーおよび下側コモンブスバーとともに前記一方のブスバーホルダーに締付け固定される上側回転式ブスバーおよび下側回転式ブスバーを備え、上側コモンブスバー、下側コモンブスバー、上側回転式ブスバーおよび下側回転式ブスバーをフローティング構造とする。【選択図】        図１
2011160647.tif 000002
【特許請求の範囲】
【請求項１】
複数の制御装置が、接触あるいは近接するように並べて配置され、
それぞれの制御装置が、
筐体と、前記筐体内に配置されたブスバー部とを有し、
前記ブスバー部は、
左右両側に配置したブスバーホルダーと、
左右両端を、前記左右両側のブスバーホルダーに締付け固定する上側コモンブスバーおよび下側コモンブスバーと、
前記上側コモンブスバーおよび下側コモンブスバーの一方端に回転自在に接し、かつ前記上側コモンブスバーおよび下側コモンブスバーとともに前記一方のブスバーホルダーに締付け固定される上側回転式ブスバーおよび下側回転式ブスバーと、
前記上側コモンブスバーおよび下側コモンブスバーに接続された内部接続用の接続体を有し、
前記上側コモンブスバーおよび下側コモンブスバーの上面および下面には、左右方向に形成された溝を備えるとともに、前記左右両側のブスバーホルダーには、前記溝に対応する部位に、前記溝よりも前後方向に短く、前記溝との間にギャップを形成した突部を備え、
前記上側回転式ブスバーおよび下側回転式ブスバーは、前記一方のブスバーホルダーに締付け固定される前においては、前記上側コモンブスバーおよび下側コモンブスバーとともに、前後方向に前記ギャップ分だけフローティングして移動可能な状態で構成され、
前記一方の制御装置の上側回転式ブスバーおよび下側回転式ブスバーが、他方の制御装置の上側コモンブスバーおよび下側コモンブスバーに密着接触して接続されていることを特徴とする制御装置の列盤構成。
【請求項２】
前記下側コモンブスバーが上側コモンブスバーよりも後方に配置されていることを特徴とする請求項１に記載の制御装置の列盤構成。
【請求項３】
前記上側回転式ブスバーおよび下側回転式ブスバーが、下側に回転することを特徴とする請求項２に記載の制御装置の列盤構成。
【請求項４】
前記内部接続用の接続体が、弾性を有するブスバーであることを特徴とする請求項１に記載の制御装置の列盤構成。
【発明の詳細な説明】
【技術分野】
【０００１】
本発明は、例えばモータの制御装置の列盤構成に関するものである。
【背景技術】
【０００２】
例えば、複数のモータを駆動する場合、各軸のモータを制御する制御装置を複数個並べて配置するいわゆる列盤で設置して使用することが行なわれている。この場合、これら列盤した制御装置の電源供給用として、電源端子間をブスバーで接続している。
電源端子間をブスバーで接続する構成としては、例えば特許文献１がある。この特許文献１は、１２Ｖのバッテリを３個連結するもので、端子間の接続部をフック形状のブスバーで構成し、それぞれの端子に係合固定させて端子間を接続している。
【先行技術文献】
【特許文献】
【０００３】
【特許文献１】特開２００４−２６５８４１号公報（図６）
【発明の概要】
【発明が解決しようとする課題】
【０００４】
しかしながら、このような従来技術においては、ブスバーの両端を固定するため、対象物の公差に対応しにくく、かつ、取り外しが面倒という問題があった。
そこで本発明は、対象物の公差に容易に対応でき、かつ、取り外しを簡単に行なうことができる制御装置の列盤構成を提供することを目的とするものである。
【課題を解決するための手段】
【０００５】
上記問題を解決するため、本発明の一の観点によれば、複数の制御装置が、接触あるいは近接するように並べて配置され、それぞれの制御装置が、筐体と、前記筐体内に配置されたブスバー部とを有し、前記ブスバー部は、左右両側に配置したブスバーホルダーと、左右両端を、前記左右両側のブスバーホルダーに締付け固定する上側コモンブスバーおよび下側コモンブスバーと、前記上側コモンブスバーおよび下側コモンブスバーの一方端に回転自在に接し、かつ前記上側コモンブスバーおよび下側コモンブスバーとともに前記一方のブスバーホルダーに締付け固定される上側回転式ブスバーおよび下側回転式ブスバーと、前記上側コモンブスバーおよび下側コモンブスバーに接続された内部接続用ブスバーを有し、前記上側コモンブスバーおよび下側コモンブスバーの上面および下面には、左右方向に形成された溝を備えるとともに、前記左右両側のブスバーホルダーには、前記溝に対応する部位に、前記溝よりも前後方向に短く、前記溝との間にギャップを形成した突部を備え、前記上側回転式ブスバーおよび下側回転式ブスバーは、前記一方のブスバーホルダーに締付け固定される前においては、前記上側コモンブスバーおよび下側コモンブスバーとともに、前後方向に前記ギャップ分だけフローティングして移動可能な状態で構成され、前記一方の制御装置の上側回転式ブスバーおよび下側回転式ブスバーが、他方の制御装置の上側コモンブスバーおよび下側コモンブスバーに密着接触して接続されている制御装置の列盤構成が適用される。
【発明の効果】
【０００６】
本発明によれば、上側コモンブスバー、下側コモンブスバー、上側回転式ブスバー、および下側回転式ブスバーをフローティング構造にするとともに、回転による片側フック構成にしているので、対象物の公差などの加工誤差に容易に対応して端子間を連結し、また簡単に取り外すことができ、かつ、接触面積を確実に確保することができる制御装置の列盤構成を提供することができる。
【図面の簡単な説明】
【０００７】
【図１】本発明における、左右に並べた２つの制御装置の列盤構成を示す斜視図である。
【図２】図１におけるいずれか一方の制御装置におけるブスバー部の構成を示す斜視図である。
【図３】両方の制御装置のブスバー部を接続した状態を示す正面図である。
【図４】図３におけるＡ−Ａ線に沿う断面図である。
【発明を実施するための形態】
【０００８】
以下、本発明の実施の形態について、図を参照して説明する。
【実施例１】
【０００９】
図１は、本発明における、左右に並べた２つの制御装置の列盤構成を示す斜視図である。図２は、図１における制御装置のブスバー部の構成を示す斜視図である。２つの制御装置のブスバー部は同一構成をしているので、一方のブスバー部のみ図示している。カッコ内の符号は、他方のブスバー部の符号を示している。図３は、両方の制御装置のブスバー部を接続した状態を示す正面図である。図４は、図３におけるＡ−Ａ線に沿う断面図である。
【００１０】
図１ないし図４において、モータの制御装置ＣＡおよびＣＢは、同一、あるいはほぼ同一構成をしており、接触あるいは近接するように左右に並べて、いわゆる列盤構成で配置されている。
制御装置ＣＡ，ＣＢの筐体１，２１は、それぞれ内部に、ＰＮ端子接続用のブスバー部２，２２を組み込んでいる。一方の制御装置ＣＡと他方の制御装置ＣＡのブスバー部２，２２は、同一構成をしている。
【００１１】
制御装置ＣＡ（ＣＢ）のブスバー部２（２２）は、図２ないし図４に示すように、左右両側に、樹脂製のブスバーホルダー３，４（２３，２４）を配置している。
ブスバーホルダー３，４（２３，２４）は、両側部に感電を防ぐためのバリア３ａ，４ａ（２３ａ，２４ａ）を設けるとともに、下部の奥側（後方側）にホルダー固定部３ｂ，４ｂ（２３ｂ，２４ｂ）を設け、前記ホルダー固定部３ｂ，４ｂ（２３ｂ，２４ｂ）を、図示しないボルトで前記筐体１（２１）に固定している。また、左右のブスバーホルダー３，４（２３，２４）は、ボルト１１ａ，１１ｂ，１２ａ，１２ｂ（３１ａ，３１ｂ，３２ａ，３２ｂ）を用いて、上側コモンブスバー５（２５）、および下側コモンブスバー６（２６）の左右両端を固定している。なお、上側コモンブスバー５（２５）、および下側コモンブスバー６（２６）の左右両端部には、図示しないボルト通し穴が形成され、ブスバーホルダー３，４（２３，２４）には、図示しないボルト穴が形成されている。また、上側コモンブスバー５（２５）、および下側コモンブスバー６（２６）は、接続の支障にならないように、例えば、下側コモンブスバー６（２６）を、上側コモンブスバー５（２５）よりも後方側に配置するなどして、前後方向に位置をずらせて配置している。
また、上側コモンブスバー５（２５）、および下側コモンブスバー６（２６）の上下面には、左右方向（長手方向）に溝５ａ，５ｂ，６ａ，６ｂ（２５ａ，２５ｂ，２６ａ，２６ｂ）が形成されており、これらに対応するブスバーホルダー３，４（２３，２４）の部位には、溝５ａ，５ｂ，６ａ，６ｂ（２５ａ，２５ｂ，２６ａ，２６ｂ）よりも前後方向に短い突部が形成され、前記突部が前記溝内に、前後方向にギャップを有して入り込んでいる。上側コモンブスバー、および下側コモンブスバーは、このギャップ分だけ前後方向に移動することができる。なお、突部は、ブスバーホルダー３（２３）の突部３ｃ、３ｄ、３ｅ、３ｆ（２３ｃ、２３ｄ、２３ｅ、２３ｆ）のみを図４に示している。
【００１２】
前記上側コモンブスバー５（２５）および下側コモンブスバー６（２６）は、後述する接続用の上側回転式ブスバー７（２７）および下側回転子式ブスバー８（２８）を挟むようにして、ボルト１１ａ，１２ａ（３１ａ，３２ａ）でブスバーホルダー３（２３）に締め付け固定される。
【００１３】
上側コモンブスバー５（２５）および下側コモンブスバー６（２６）の一方側、例えば、図面左側の端部には、上側回転式ブスバー７（２７）および下側回転式ブスバー８（２８）が配置されている。上側回転式ブスバー７（２７）および下側回転式ブスバー８（２８）は、フック部７ａ，８ａ（２７ａ，２８ａ）を有するとともに、図示しないボルト通し穴が形成され、ワッシャとともに、前記ボルト１１ａ，１２ａ（３１ａ，３２ａ）を通されて、これらのボルト１１ａ，１２ａ（３１ａ，３２ａ）の頭部と上側コモンブスバー５（２５）および下側コモンブスバー６（２６）との間に挟まれた状態となっている。上側コモンブスバー５（２５）および下側コモンブスバー６（２６）の他方側、例えば、図面右側の端には、回転式ブスバーは取り付けられてはおらず、ワッシャを通した前記ボルト１１ｂ，１２ｂ（１２ｂ，３２ｂ）が、上側コモンブスバー５（２５）および下側コモンブスバー６（２６）のボルト通し穴に通され、ブスバーホルダー４（２４）のボルト穴に螺合しているだけである。なお、ワッシャは、上側回転式ブスバー７（２７）の部位に位置するワッシャ１１ａａ（３１ａａ）と、下側回転式ブスバー８（２８）の部位に位置するワッシャ１２ａａ（３２ａａ）のみ図示している。
【００１４】
上側コモンブスバー５（２５）は、図２に示すように、内部接続用の接続体としての第1の内部接続用ブスバー９ａ（２９ａ）と接続され、前記第1の内部接続用ブスバー９ａ（２９ａ）は、第２の内部接続用ブスバー９ｂ（２９ｂ）に接続されている。
【００１５】
また、下側コモンブスバー６（２６）は、図２および図４に示すように、第３の内部接続用ブスバー１０ａ（３０ａ）と接続され、前記第３の内部接続用ブスバー１０ａ（３０ａ）は、第４の内部接続用ブスバー１０ｂ（３０ｂ）に接続されている。
これらの第1の内部接続用ブスバー９ａ（２９ａ）、第２の内部接続用ブスバー９ｂ（２９ｂ）、前記第３の内部接続用ブスバー１０ａ（３０ａ）、および第４の内部接続用ブスバー１０ｂ（３０ｂ）は、ともに弾性を有しており、前記上側コモンブスバー５（２５）および下側コモンブスバー６（２６）の前後方向への移動に際して、撓むことで追随することができる。
【００１６】
このような構成の制御装置において、それぞれの制御装置の上側コモンブスバー５（２５）および下側コモンブスバー６（２６）の接続は、次のようにして行なう。
どちらのコモンブスバーも同様の方法で接続するが、ここでは、上側コモンブスバー５（２５）の接続について説明する。
まず、制御装置ＣＡおよび制御装置ＣＢの隣り合う側のバリア４ａ，２４ａをはずし、それぞれの制御装置ＣＡ，ＣＢにおいて両ブスバー部２，２２が収まっている空間どおしの垣根を取り払い、両ブスバー部２，２２を接続することができる連続する空間を作る。
【００１７】
次に、制御装置ＣＢの上側のボルト３１ａを緩め、上側回転式ブスバー２７と上側コモンブスバー２５が前後方向に動けるようにする。また、制御装置ＣＡの上側のボルト１１ｂも緩めて、ワッシャと上側コモンブスバー５の間に、前記回転式ブスバー７のフック部７ａが入り込むスペースを作っておく。
【００１８】
次に、制御装置ＣＢの上側回転式ブスバー２７を時計方向に回転させて、フック部２７ａを下側から前記制御装置ＣＡのボルト１１ｂに引っ掛ける。この際、前記上側回転式ブスバー２７は、上側コモンブスバー２５とともに、前記溝２５ａ，２５ｂと突部２３ｃ，２３ｄとのギャップ分だけ自由に前後方向に移動ができ、また、同様にして、制御装置ＣＡの上側コモンブスバー５も、溝５ａ，５ｂと突部（図示していない）とのギャップ分だけ自由に前後方向に移動ができるので、ブスバーホルダー４、２３や上側コモンブスバー５，２５、また上側回転式ブスバー２７などに公差や加工誤差が生じていても、前記上側回転式ブスバー２７のフック部２７ａを、確実に制御装置ＣＡの上側コモンブスバー５とワッシャの間に入り込ませ、ボルト１１ａに引っ掛けることができる。これにより、上側回転式ブスバー２７と上側コモンブスバー５との接触において、十分な接触面積を確保することができる。
【００１９】
前記ブスバー部２，２２は、前記ホルダー固定部３ｂ，４ｂ，２３ｂ，２４ｂが設けられた下部側がスペース的に余裕があり、前記上側回転式ブスバー２７のフック２７ａを、スペース的にゆとりがある下部側に回転させてボルト１１ａに引っ掛けるようにしているので、ブスバー部２，２２の高さ寸法を抑えることができ、スペースを有効活用することができる。
【００２０】
なお、この上側回転式ブスバー２７のフック部２７ａの回転にあたっては、下側コモンブスバー６，２６が、上側コモンブスバー５，２５よりも後方に位置しているので、下側コモンブスバー６，２６が、上側回転式ブスバー２７の回転に干渉することはない。
この状態で、前記２つのボルト１１ｂ，３１ａを交互に締めていき、２つの上側コモンブスバー５，２５を、上側回転式ブスバー２７で確実に接続する。
【００２１】
それぞれの制御装置の上側コモンブスバー５，２５の接続が完了すると、次に、それぞれの制御装置の下側コモンブスバー６，２６の接続を行なう。
接続の要領は、上述した上側コモンブスバー５，２５の接続と同じであるので、説明を省略する。
【００２２】
なお、前記それぞれのブスバーは、電気特性の優れた板金部材や金属材料で構成されている。
前記回転式ブスバーは、前述の実施例では、図面上左側に配置しているが、右側に配置してもかまわない。
また、内部接続用ブスバーについては、弾性を有する電線に換えてもよい。
【符号の説明】
【００２３】
ＣＡ      制御装置
１        筐体
２        ブスバー部
３        ブスバーホルダー
３ａ      バリア
３ｂ      ホルダー固定部
３ｃ      突部（上側）
３ｄ      突部（下側）
３ｅ      突部（上側）
３ｆ      突部（下側）
４        ブスバーホルダー
４ａ      バリア
４ｂ      ホルダー固定部
５        上側コモンブスバー
５ａ      溝（上側）
５ｂ      溝（下側）
６        下側コモンブスバー
６ａ      溝（上側）
６ｂ      溝（下側）
７        上側回転式ブスバー
７ａ      フック部
８        下側回転式ブスバー
８ａ      フック部
９ａ      第１の内部接続用ブスバー
９ｂ      第２の内部接続用ブスバー
１０ａ    第３の内部接続用ブスバー
１０ｂ    第４の内部接続用ブスバー
１１ａ    ボルト
１１ａａ  ワッシャ
１１ｂ    ボルト
１２ａ    ボルト
１２ａａ  ワッシャ
１２ｂ    ボルト
ＣＢ      制御装置
２１      筐体
２２      ブスバー部
２３      ブスバーホルダー
２３ａ    バリア
２３ｂ    ホルダー固定部
２３ｃ    突部（上側）
２３ｄ    突部（下側）
２３ｅ    突部（上側）
２３ｆ    突部（下側）
２４      ブスバーホルダー
２４ａ    バリア
２４ｂ    ホルダー固定部
２５      上側コモンブスバー
２５ａ    溝（上側）
２５ｂ    溝（下側）
２６      下側コモンブスバー
２６ａ    溝（上側）
２６ｂ    溝（下側）
２７      上側回転式ブスバー
２７ａ    フック部
２８      下側回転式ブスバー
２８ａ    フック部
２９ａ    第１の内部接続用ブスバー
２９ｂ    第２の内部接続用ブスバー
３０ａ    第３の内部接続用ブスバー
３０ｂ    第４の内部接続用ブスバー
３１ａ    ボルト
３１ａａ  ワッシャ
３１ｂ    ボルト
３２ａ    ボルト
３２ａａ  ワッシャ
３２ｂ    ボルト
【図１】
2011160647.tif 000003
【図２】
2011160647.tif 000004
【図３】
2011160647.tif 000005
【図４】
2011160647.tif 000006
【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
接触あるいは近接するように複数台並べて列盤配置される制御装置であって、
前記制御装置が、
上面および下面に、左右長手方向に形成された溝を有する上側コモンブスバーおよび下側コモンブスバーと、
前記上側コモンブスバーおよび前記下側コモンブスバーの左右両側に配置され、前記上側コモンブスバーおよび前記下側コモンブスバーを締め付け固定すると共に、上側コモンブスバーおよび下側コモンブスバーの前後短手方向にギャップを形成して前記溝内に入り込む突部を有するブスバーホルダーと、
前記上側コモンブスバーおよび下側コモンブスバーの一方端に回転自在に接し、かつ前記上側コモンブスバーおよび下側コモンブスバーと共に一方の前記ブスバーホルダーに締付け固定される上側回転式ブスバーおよび下側回転式ブスバーと、を備える
ことを特徴とする制御装置。
【請求項２】
前記制御装置が、
互いに前後短手方向にずれて配置される前記上側コモンブスバーおよび前記下側コモンブスバーを備える
ことを特徴とする請求項１に記載の制御装置。
【請求項３】
前記制御装置が、
下側に回転する前記上側回転式ブスバーおよび下側回転式ブスバーが、
ことを特徴とする請求項１または２に記載の制御装置。
【請求項４】
前記制御装置が、
前記上側コモンブスバーおよび前記下側コモンブスバーと、前記制御装置内のそれぞれに対応する電源ラインに接続される内部接続用の接続体を備え、
前記内部接続用の接続体が弾性を有する
ことを特徴とする請求項１乃至３のいずれか１項に記載の制御装置。
【請求項５】
複数台の前記制御装置のうち、
一方の前記上側回転式ブスバーおよび前記下側回転式ブスバーを、他方の前記上側コモンブスバーおよび下側コモンブスバーに対して接触させ接続して列盤配置される
ことを特徴とする請求項１乃至４のいずれか１項に記載の制御装置。
【手続補正３】
【補正対象書類名】明細書
【補正対象項目名】０００５
【補正方法】変更
【補正の内容】
【０００５】
上記問題を解決するため、本発明の一の観点によれば、接触あるいは近接するように複数台並べて列盤配置される制御装置であって、前記制御装置が、上面および下面に、左右長手方向に形成された溝を有する上側コモンブスバーおよび下側コモンブスバーと、前記上側コモンブスバーおよび前記下側コモンブスバーの左右両側に配置され、前記上側コモンブスバーおよび前記下側コモンブスバーを締め付け固定すると共に、上側コモンブスバーおよび下側コモンブスバーの前後短手方向にギャップを形成して前記溝内に入り込む突部を有するブスバーホルダーと、前記上側コモンブスバーおよび下側コモンブスバーの一方端に回転自在に接し、かつ前記上側コモンブスバーおよび下側コモンブスバーと共に一方の前記ブスバーホルダーに締付け固定される上側回転式ブスバーおよび下側回転式ブスバーと、を備える制御装置が適用される。
【手続補正４】
【補正対象書類名】明細書
【補正対象項目名】０００６
【補正方法】変更
【補正の内容】
【０００６】
本発明によれば、上側コモンブスバー、下側コモンブスバー、上側回転式ブスバー、および下側回転式ブスバーをフローティング構造にするとともに、回転による片側フック構成にしているので、対象物の公差などの加工誤差に容易に対応して端子間を連結し、また簡単に取り外すことができ、かつ、接触面積を確実に確保することができる制御装置を提供することができる。
【手続補正５】
【補正対象書類名】明細書
【補正対象項目名】００１１
【補正方法】変更
【補正の内容】
【００１１】
制御装置ＣＡ（ＣＢ）のブスバー部２（２２）は、図２ないし図４に示すように、左右両側に、樹脂製のブスバーホルダー３，４（２３，２４）を配置している。
ブスバーホルダー３，４（２３，２４）は、両側部に感電を防ぐためのバリア３ａ，４ａ（２３ａ，２４ａ）を設けるとともに、下部の奥側（後方側）にホルダー固定部３ｂ，４ｂ（２３ｂ，２４ｂ）を設け、ホルダー固定部３ｂ，４ｂ（２３ｂ，２４ｂ）を、図示しないボルトで筐体１（２１）に固定している。また、左右のブスバーホルダー３，４（２３，２４）は、ボルト１１ａ，１１ｂ，１２ａ，１２ｂ（３１ａ，３１ｂ，３２ａ，３２ｂ）を用いて、上側コモンブスバー５（２５）、および下側コモンブスバー６（２６）の左右両端を固定している。なお、上側コモンブスバー５（２５）、および下側コモンブスバー６（２６）の左右両端部には、図示しないボルト通し穴が形成され、ブスバーホルダー３，４（２３，２４）には、図示しないボルト穴が形成されている。また、上側コモンブスバー５（２５）、および下側コモンブスバー６（２６）は、接続の支障にならないように、例えば、下側コモンブスバー６（２６）を、上側コモンブスバー５（２５）よりも後方側に配置するなどして、前後方向に位置をずらせて配置している。
また、上側コモンブスバー５（２５）、および下側コモンブスバー６（２６）の上下面には、左右方向（長手方向）に溝５ａ，５ｂ，６ａ，６ｂ（２５ａ，２５ｂ，２６ａ，２６ｂ）が形成されており、これらに対応するブスバーホルダー３，４（２３，２４）の部位には、溝５ａ，５ｂ，６ａ，６ｂ（２５ａ，２５ｂ，２６ａ，２６ｂ）よりも前後方向に短い突部が形成され、突部が溝内に、前後方向にギャップを有して入り込んでいる。上側コモンブスバー、および下側コモンブスバーは、このギャップ分だけ前後方向に移動することができる。なお、突部は、ブスバーホルダー３（２３）の突部３ｃ、３ｄ、３ｅ、３ｆ（２３ｃ、２３ｄ、２３ｅ、２３ｆ）のみを図４に示している。
【手続補正６】
【補正対象書類名】明細書
【補正対象項目名】００１２
【補正方法】変更
【補正の内容】
【００１２】
上側コモンブスバー５（２５）および下側コモンブスバー６（２６）は、後述する接続用の上側回転式ブスバー７（２７）および下側回転子式ブスバー８（２８）を挟むようにして、ボルト１１ａ，１２ａ（３１ａ，３２ａ）でブスバーホルダー３（２３）に締め付け固定される。
【手続補正７】
【補正対象書類名】明細書
【補正対象項目名】００１３
【補正方法】変更
【補正の内容】
【００１３】
上側コモンブスバー５（２５）および下側コモンブスバー６（２６）の一方側、例えば、図３左側の端部には、上側回転式ブスバー７（２７）および下側回転式ブスバー８（２８）が配置されている。上側回転式ブスバー７（２７）および下側回転式ブスバー８（２８）は、フック部７ａ，８ａ（２７ａ，２８ａ）を有するとともに、図示しないボルト通し穴が形成され、ワッシャとともに、前記ボルト１１ａ，１２ａ（３１ａ，３２ａ）を通されて、これらのボルト１１ａ，１２ａ（３１ａ，３２ａ）の頭部と上側コモンブスバー５（２５）および下側コモンブスバー６（２６）との間に挟まれた状態となっている。上側コモンブスバー５（２５）および下側コモンブスバー６（２６）の他方側、例えば、図３右側の端には、回転式ブスバーは取り付けられてはおらず、ワッシャを通したボルト１１ｂ，１２ｂ（３１ｂ，３２ｂ）が、上側コモンブスバー５（２５）および下側コモンブスバー６（２６）のボルト通し穴に通され、ブスバーホルダー４（２４）のボルト穴に螺合しているだけである。なお、ワッシャは、上側回転式ブスバー７（２７）の部位に位置するワッシャ１１ａａ（３１ａａ）と、下側回転式ブスバー８（２８）の部位に位置するワッシャ１２ａａ（３２ａａ）のみ図示している。
【手続補正８】
【補正対象書類名】明細書
【補正対象項目名】００１４
【補正方法】変更
【補正の内容】
【００１４】
上側コモンブスバー５（２５）は、図２に示すように、内部接続用の接続体としての第1の内部接続用ブスバー９ａ（２９ａ）と接続され、第1の内部接続用ブスバー９ａ（２９ａ）は、第２の内部接続用ブスバー９ｂ（２９ｂ）に接続されている。
【手続補正９】
【補正対象書類名】明細書
【補正対象項目名】００１５
【補正方法】変更
【補正の内容】
【００１５】
また、下側コモンブスバー６（２６）は、図２および図４に示すように、第３の内部接続用ブスバー１０ａ（３０ａ）と接続され、第３の内部接続用ブスバー１０ａ（３０ａ）は、第４の内部接続用ブスバー１０ｂ（３０ｂ）に接続されている。
これらの第1の内部接続用ブスバー９ａ（２９ａ）、第２の内部接続用ブスバー９ｂ（２９ｂ）、第３の内部接続用ブスバー１０ａ（３０ａ）、および第４の内部接続用ブスバー１０ｂ（３０ｂ）は、ともに弾性を有しており、上側コモンブスバー５（２５）および下側コモンブスバー６（２６）の前後方向への移動に際して、撓むことで追随することができる。
【手続補正１０】
【補正対象書類名】明細書
【補正対象項目名】００１７
【補正方法】変更
【補正の内容】
【００１７】
次に、制御装置ＣＢの上側のボルト３１ａを緩め、上側回転式ブスバー２７と上側コモンブスバー２５が前後方向に動けるようにする。また、制御装置ＣＡの上側のボルト１１ｂも緩めて、ワッシャと上側コモンブスバー５の間に、回転式ブスバー７のフック部７ａが入り込むスペースを作っておく。
【手続補正１１】
【補正対象書類名】明細書
【補正対象項目名】００１８
【補正方法】変更
【補正の内容】
【００１８】
次に、制御装置ＣＢの上側回転式ブスバー２７を時計方向に回転させて、フック部２７ａを下側から制御装置ＣＡのボルト１１ｂに引っ掛ける。この際、上側回転式ブスバー２７は、上側コモンブスバー２５とともに、溝２５ａ，２５ｂと突部２３ｃ，２３ｄとのギャップ分だけ自由に前後方向に移動ができ、また、同様にして、制御装置ＣＡの上側コモンブスバー５も、溝５ａ，５ｂと突部（図示していない）とのギャップ分だけ自由に前後方向に移動ができるので、ブスバーホルダー４、２３や上側コモンブスバー５，２５、また上側回転式ブスバー２７などに公差や加工誤差が生じていても、上側回転式ブスバー２７のフック部２７ａを、確実に制御装置ＣＡの上側コモンブスバー５とワッシャの間に入り込ませ、ボルト１１ａに引っ掛けることができる。これにより、上側回転式ブスバー２７と上側コモンブスバー５との接触において、十分な接触面積を確保することができる。
【手続補正１２】
【補正対象書類名】明細書
【補正対象項目名】００１９
【補正方法】変更
【補正の内容】
【００１９】
ブスバー部２，２２は、ホルダー固定部３ｂ，４ｂ，２３ｂ，２４ｂが設けられた下部側がスペース的に余裕があり、上側回転式ブスバー２７のフック２７ａを、スペース的にゆとりがある下部側に回転させてボルト１１ａに引っ掛けるようにしているので、ブスバー部２，２２の高さ寸法を抑えることができ、スペースを有効活用することができる。
【手続補正１３】
【補正対象書類名】明細書
【補正対象項目名】００２０
【補正方法】変更
【補正の内容】
【００２０】
なお、この上側回転式ブスバー２７のフック部２７ａの回転にあたっては、下側コモンブスバー６，２６が、上側コモンブスバー５，２５よりも後方に位置しているので、下側コモンブスバー６，２６が、上側回転式ブスバー２７の回転に干渉することはない。
この状態で、２つのボルト１１ｂ，３１ａを交互に締めていき、２つの上側コモンブスバー５，２５を、上側回転式ブスバー２７で確実に接続する。
【手続補正１４】
【補正対象書類名】明細書
【補正対象項目名】００２２
【補正方法】変更
【補正の内容】
【００２２】
なお、それぞれのブスバーは、電気特性の優れた板金部材や金属材料で構成されている。
回転式ブスバーは、前述の実施例では、図面上左側に配置しているが、右側に配置してもかまわない。
また、内部接続用ブスバーについては、弾性を有する電線に換えてもよい。